(57)【要約】【課題】清掃対象面を清浄にした後の該清掃対象面の残香性が向上した洗浄剤を提供すること。【解決手段】硬質表面の洗浄に用いられる洗浄剤である。洗浄剤は、界面活性剤、増粘剤として乳化作用を有する水溶性のアニオン性ポリマー及び香料を含有する乳化液からなる。香料は乳化液中に０．１質量％以上２質量％以下含有されている。洗浄剤は、硬質表面に施された該洗浄剤によって該硬質表面を洗浄した後、該硬質表面を洗い流さず、該洗浄剤が該硬質表面に残留するように用いられるものである。【選択図】なし【特許請求の範囲】
【請求項１】
硬質表面の洗浄に用いられる洗浄剤において、
前記洗浄剤は、界面活性剤、増粘剤として乳化作用を有する水溶性のアニオン性ポリマー及び香料を含有する乳化液からなり、
前記香料は前記乳化液中に０．１質量％以上２質量％以下含有され、
前記洗浄剤は、硬質表面に施された該洗浄剤によって該硬質表面を洗浄した後、該硬質表面を洗い流さず、該洗浄剤が該硬質表面に残留するように用いられるものである洗浄剤。
【請求項２】
前記アニオン性ポリマーは、繰り返し単位としてアクリル酸若しくはメタクリル酸又はそれらの塩若しくはそれらのアルキルエステルを含むものである請求項１に記載の洗浄剤。
【請求項３】
前記洗浄剤は、水中油型の乳化液からなる請求項１又は２に記載の洗浄剤。
【請求項４】
２５℃における粘度が２０〜３００，０００ｍＰａ・ｓである請求項１ないし３のいずれか一項に記載の洗浄剤。
【請求項５】
前記界面活性剤を０．０１質量％以上５質量％以下含有し、前記水溶性のアニオン性ポリマーを０．０１質量％以上２質量％以下含有する請求項１ないし４のいずれか一項に記載の洗浄剤。
【請求項６】
前記界面活性剤が、両性界面活性剤である請求項１ないし５のいずれか一項に記載の洗浄剤。
【請求項７】
請求項１ないし６のいずれか一項に記載の洗浄剤が基材シートに含浸されてなる硬質表面洗浄用ウエットシート。
【発明の詳細な説明】
【技術分野】
【０００１】
本発明は硬質表面を清浄にするために用いられる洗浄剤に関する。
【背景技術】
【０００２】
近年、香料を含有させた洗浄剤を用いて清浄にした洗浄対象物における香りの持続性を高めることが種々検討されている。例えば特許文献１においては、アニオン界面活性剤と、カチオン化ポリマーと、ポリ（メタ）アクリル酸アルキルエステル系樹脂で香料を内包したカプセル化香料とを含有する洗剤組成物が提案されている。特許文献２においては、香料を含有する洗剤組成物中にイオン液体を配合し、香料を、該香料の放出が可能にイオン液体と会合させることが記載されている。
【０００３】
これらの技術とは別に、本出願人は先に、多量の水性液を保持でき、該水性液が徐放されて広面積の清掃対象面を拭くことができる清掃用ウエットシートを提案した（特許文献３）。水性液中には香料が含まれている。
【先行技術文献】
【特許文献】
【０００４】
【特許文献１】特開２０１０−２０９２９３号公報
【特許文献２】特開２００８−５１９１０６号公報
【特許文献３】特開２００２−４５３２２号公報
【発明の概要】
【発明が解決しようとする課題】
【０００５】
特許文献１に記載の技術によれば、カプセル化香料の作用によって香料の残香性を向上させやすい。しかし、香料をカプセル化することは経済的に有利とは言ない。同様に、特許文献２に記載のイオン液体も高価なものであり、これを用いることは経済的に有利とは言ない。特許文献３に記載の技術によれば、水性液の徐放性は向上するが、放出された水性液中に含まれる香料の残香性が、清掃対象面上において向上するとは限らない。
【０００６】
したがって本発明の課題は、前述した従来技術が有する欠点を解消し得る洗浄剤を提供することにある。
【課題を解決するための手段】
【０００７】
本発明は、硬質表面の洗浄に用いられる洗浄剤において、
前記洗浄剤は、界面活性剤、増粘剤として乳化作用を有する水溶性のアニオン性ポリマー及び香料を含有する乳化液からなり、
前記香料は前記乳化液中に０．１質量％以上２質量％以下含有され、
前記洗浄剤は、硬質表面に施された該洗浄剤によって該硬質表面を洗浄した後、該硬質表面を洗い流さず、該洗浄剤が該硬質表面に残留するように用いられるものである洗浄剤を提供するものである。
【０００８】
また本発明は、前記の洗浄剤が基材シートに含浸されてなる硬質表面洗浄用ウエットシートを提供するものである。
【発明の効果】
【０００９】
本発明によれば、清掃対象面を清浄にした後の該清掃対象面の残香性が向上した洗浄剤が提供される。
【発明を実施するための形態】
【００１０】
以下本発明を、その好ましい実施形態に基づき説明する。本発明の洗浄剤は、硬質表面の洗浄に用いられるものである。硬質表面の洗浄剤としては、（イ）硬質表面に付与した洗浄剤によって該硬質表面を洗浄した後、該硬質表面を洗い流さず、該洗浄剤が該硬質表面に残留するように用いられるタイプのものと、（ロ）硬質表面に付与した洗浄剤によって該硬質表面を洗浄した後、該硬質表面を洗い流し、該洗浄剤を除去するタイプのものとがある。本発明の洗浄剤は、前者の（イ）のタイプのものである。したがって、本発明の洗浄剤を用いて硬質表面を洗浄した後は、該硬質表面に付着した洗浄剤から揮発成分が揮発して除去され、不揮発成分が該硬質表面に残留した状態となる。
【００１１】
本発明の洗浄剤が、硬質表面を洗浄した後、該硬質表面を洗い流さないタイプのものであることを考慮すると、洗浄剤の媒体としては、安全性及び経済性の点から水を用いることが好適である。
【００１２】
本発明の洗浄剤が香料を含有し、該香料の作用によって、硬質表面を洗浄した後の該硬質表面の残香性が向上した点に特徴の一つを有する。残香性は、硬質表面を洗浄した後、該硬質表面に洗浄剤の香料が残留することで生じる。「香料が残留する」とは、例えば硬質表面を拭いて３０分〜６０分経過後に硬質表面が残香性を有することを示し、永遠に硬質表面に香料が留まる必要はない。また、残留する乳化液及び香料は、乳化液に配合した全ての成分又は配合した比率と同じである必要はなく、香料が残香性を発揮するように硬質表面に存在すれば残留していることを示す。硬質表面の残香性は、硬質表面を洗浄してから、３０分以上維持されるのが好ましく、４５分以上が更に好ましく、６０分以上が一層好ましく、１２０分以上が特に好ましい。残香性については、例えば後述する「対象面の香りの強さ」の評価において、３点（ほのかに匂う）以上が好ましく、４点（匂いが楽にわかる）以上が一層好ましい。
【００１３】
残香性を向上させるためには、例えば洗浄剤に配合する香料の量を多くすることが考えられる。しかし、洗浄剤の媒体として例えば上述した水を用いる場合、香料の配合量を多くすると、香料は一般に油性の物質であることに起因して、香料を水中に分散させるために多量の界面活性剤を配合して乳化させる必要がある。本発明の洗浄剤が、硬質表面を洗浄した後、該硬質表面を洗い流さないタイプのものであることは上述したとおりなので、該洗浄剤に多量の界面活性剤を配合することは、該洗浄剤が残留した状態での硬質表面がべたつく等の観点から有利とは言ない。かかる課題を解決すべく本発明者が鋭意検討した結果、洗浄剤の粘度を高める目的で一般に配合されている各種の増粘剤のうち、特定の増粘剤には、洗浄剤の増粘効果を発現しつつ、香料を乳化させる働きがあることが判明した。そのような働きを有する増粘剤について本発明者が更に検討を重ねたところ、乳化作用を有する水溶性のアニオン性ポリマー（以下、単に「アニオン性ポリマー」とも言う。）を洗浄剤に配合することが有利であることが判明した。また、このアニオン性ポリマーを洗浄剤に配合することで、洗浄剤の粘度が高くなり、香料が揮発しづらくなる結果、残香性が一層向上するという利点もある。更に、このアニオン性ポリマーを洗浄剤に配合することで、該洗浄剤を基材シートに含浸させてウエットシートとした場合に、意外にも、基材シートから放出された洗浄剤中の香料の含有量が向上することが判明した。
【００１４】
以上のことを考慮すると、本願発明に洗浄剤において、香料の配合量は、その下限値を０．１質量％以上とし、好ましくは０．２質量％以上、更に好ましくは０．３質量％以上とする。上限値は、これを過度に高くすると、アニオン性ポリマーの配合量も過度に高くする必要が生じてしまう。アニオン性ポリマーの配合量を過度に高くすることは、硬質表面に該アニオン性ポリマーが残留してしまう一因となる。したがって香料の上限値は２質量％以下とし、好ましくは１．７質量％以下、更に好ましくは１．５質量％以下とする。アニオン性ポリマーの配合量は、増粘剤としての安定した効果発現の観点から、その下限値を好ましくは０．０１質量％以上とし、更に好ましくは０．０３質量％以上、一層好ましくは０．０５質量％以上とする。上限値は、硬質表面にアニオン性ポリマーが過度に残留してしまうことを抑制する観点から、好ましくは２質量％以下とし、更に好ましくは１．５質量％以下、一層好ましくは１．０質量％以下とする。界面活性剤に関しては、アニオン性ポリマーと併用することで、香料の配合量が高いにもかかわらず該界面活性剤の配合量を過度に高くする必要がない。具体的には、界面活性剤の配合量は、その下限値を好ましくは０．０１質量％以上とし、更に好ましくは０．０３質量％以上、一層好ましくは０．０５質量％以上とする。上限値は好ましくは５質量％以下とし、更に好ましくは３．０質量％以下、一層好ましくは１．０質量％以下とする。
【００１５】
なお、香料は一般にオイルに溶解した状態で取り扱いがなされているところ、上述した香料の配合量とは、香料がオイルに溶解した溶液の状態での量ではなく、香料そのものの量のことを指す。
【００１６】
香料としては、洗浄剤の技術分野においてこれまで用いられてきたものと同様のものを用いることができる。そのような香料としては、例えば「香料と調香の基礎知識」（中島基貴著、産業図書、１９９５年発行）に記載されているような香料を使用することができる。本発明の洗浄剤が硬質表面の洗浄に用いられるものであることを考慮すると、該洗浄剤に配合される香料は、硬質表面を損傷しにくいものであることが好ましい。
【００１７】
硬質表面を損傷しにくい香料としては、例えば、ゲラニオール、リナロール、シトロネロール、ネロール、ヒドロキシシトロネロール、テトラヒドロゲラニオール、ターピネオール、シス−３−ヘキセノール、フェニルエチルアルコール、ベンジルアルコール、リモネンなどが挙げられる。
【００１８】
また、上述した香料に加えて、又はそれに代えて、本発明の洗浄剤に配合される香料として揮発性の低いものを用いると、残香性が一層向上するので好ましい。例えば、γ−ウンデカラクトン、１−（２，６，６−トリメチル−１，３−シクロヘキサジエン−１−イル）−２−ブテン−１−オン、７−アセチル−１，２，３，４，５，６，７，８−オクタヒドロ−１，１，６，７−テトラメチルナフタレン、セドリルメチルケトン、３，７−ジメチル−７−メトキシオクタン−２−オール、ドデカヒドロ−３ａ，６，６，９ａ−テトラメチルナフト［２，１−ｂ］フランなどが挙げられる。
【００１９】
界面活性剤としては、陽イオン界面活性剤、陰イオン界面活性剤、非イオン界面活性剤及び両性界面活性剤を用いることができる。界面活性剤は、１種を単独で又は２種以上を組み合わせて用いることができる。これらの界面活性剤のうち、特に油汚れ洗浄性の向上と香料の安定配合との点から、両性界面活性剤を用いることが好ましい。両性界面活性剤としては、例えばアルキルジメチルアミノ酢酸ベタイン、アルキルジメチルアミンオキサイド、アルキルカルボキシメチルヒドロキシエチルイミダゾリニウムベタイン及びアルキルアミドプロピルベタインなどが挙げられる。これらのうち、特に良好な洗浄性と良好な仕上がり性との両立の点から、アルキルジメチルアミンオキサイドを用いることが好ましく、特に炭素数８〜２４のアルキル基を有するアルキルジメチルアミンオキサイドを用いることが好ましい。ここで言う「仕上がり性」とは、本発明の洗浄剤によって硬質表面を拭いた後の該硬質表面にべたつき感が生じないこと、及び該硬質表面に拭き筋が残りにくいという意味である。
【００２０】
アニオン性ポリマーとは、高分子鎖中にアニオン性基を有している高分子化合物のことである。アニオン性ポリマーは、イオン性基としてアニオン性基のみを有していてもよく、あるいはアニオン性基に加えてカチオン性基を有していてもよい。後者の場合には、アニオン性基の数がカチオン性基の数より勝っているものを用いる。カチオン性基はアニオン性基の効果を相殺してしまうため、アニオン性基の効果が十分に機能するためには、カチオン性基の数はできるだけ少ない方が好ましい。
【００２１】
アニオン性ポリマーに含まれているアニオン性基としては、例えばカルボキシル基、スルホン酸基、硫酸基などが挙げられる。これらの基は１種を単独で、又は２種以上を組み合わせて用いることができる。
【００２２】
アニオン性ポリマーは水溶性のものである。アニオン性ポリマーは、これが水溶性を示す範囲での分子量を有する。
【００２３】
アニオン性ポリマーは、アニオン性基を有する重合性単量体の重合体、アニオン性基を有する重合性単量体を２種以上用いた共重合体、又はアニオン性基を有する重合性単量体とアニオン性基を有さない重合性単量体との共重合体であり得る。そのような重合性単量体としては、アニオン性基を有するビニル系重合性単量体が挙げられる。具体的には、例えばアクリル酸、メタクリル酸などが挙げられる。アニオン性ポリマーは、これを０．２質量％含有し、水酸化ナトリウムでｐＨ７．０に調整した水溶液を、２０℃にてブルックフィールド型粘度計（ローターＮｏ．４、回転数１２ｒｐｍ）で測定した粘度が、５００ｍＰａ・ｓ以上であることが好ましく、１０００ｍＰａ・ｓ以上であることが更に好ましく、１５００ｍＰａ・ｓ以上であることが一層好ましい。粘度の上限値は、５０，０００ｍＰａ・ｓ以下であることが好ましく、４０，０００ｍＰａ・ｓ以下であることが更に好ましい。
【００２４】
特にアニオン性ポリマーとして、繰り返し単位としてアクリル酸若しくはメタクリル酸又はそれらの塩若しくはそれらのアルキルエステルを含むものをことが、香料を首尾よく乳化させることができる点、及び洗浄剤を所望の程度に増粘させられる点から好ましい。この効果を一層顕著なものとする観点から、実質的な構成単量体としてアクリル酸又はその塩、及びメタクリル酸アルキルエステルのみを含むものが好ましく、その上でアクリル酸又はその塩１００質量部に対して、０．０１質量部以上の、エチレン性不飽和基を少なくとも２個有する化合物を架橋剤として使用して得られる架橋型アクリル酸／メタクリル酸アルキルエステルコポリマーが好ましい。そのような共重合体の例としては、例えばカーボポールＥＴＤ−２０２０、カーボポール１３４２、カーボポール１３８２、ペムレンＴＲ−１、ペムレンＴＲ−２（以上、Ｌｕｂｒｕｚｏｌ  Ａｄｖａｎｃｅｄ  Ｍａｔｅｒｉａｌ，Ｉｎｃ．製）等が挙げられる。
【００２５】
以上のとおり、水を含み、油性の物質である香料、並びに界面活性剤及び乳化作用を有する水溶性のアニオン性ポリマーが配合された本発明の洗浄剤は、これらの成分の作用によって乳化液となっている。この乳化液は、水中油型のものであり得るか、又は油中水型のものであり得る。硬質表面を洗浄した後の、該硬質表面の仕上がり感の良好さの点からは、該乳化液は水中油型のものであることが好ましい。
【００２６】
アニオン性ポリマーが配合されている本発明の洗浄剤は、該アニオン性ポリマーの作用によって増粘されている。これによって、洗浄剤に配合されている香料の揮発を起こりにくくして残香性が向上し、また洗浄剤の液だれ等が効果的に防止される。これらの効果を一層顕著なものとする観点から、本発明の洗浄剤の粘度は２５℃において、その下限値が２０ｍＰａ・ｓ以上であることが好ましく、５０ｍＰａ・ｓ以上であることが更に好ましく、１００ｍＰａ・ｓ以上であることが一層好ましい。粘度の上限値は、３００，０００Ｐａ・ｓ以下であることが好ましく、１００，０００ｍＰａ・ｓ以下であることが更に好ましく、１０，０００ｍＰａ・ｓ以下であることが一層好ましい。洗浄剤の粘度は、２５℃にてブルックフィールド型粘度計（Ｂ型粘度計）を用いて測定される。使用ローター及び回転数は、洗浄剤の粘度に応じて適宜変更する。本明細書の実施例で用いたローター及び回転数は、後述する実施例の項に記載してある。
【００２７】
本発明の洗浄剤のｐＨは２５℃において、その下限値が７．０以上であることが好ましく、７．５以上であることが更に好ましい。ｐＨの上限値は、１０．０以下であることが好ましく、９．５以下であることが更に好ましい。
【００２８】
本発明の洗浄剤には、これまでに説明してきた成分に加えて、洗浄剤の各種機能を更に高め得る成分を配合してもよい。そのような成分としては、例えば溶剤、色素、防腐剤、除菌剤、キレート剤、アルカリ剤などが挙げられる。
【００２９】
前記溶剤は水溶性であることが好ましい。水溶性溶剤としては、例えば一価アルコール、多価アルコール及びその誘導体から選ばれる１種以上のものが好適である。特に仕上がり性の点から蒸気圧２６７Ｐａ（２ｍｍＨｇ）以上のものが好ましい。例えば、エタノール、イソプロピルアルコール、プロパノール、エチレングリコールモノメチルエーテル、プロピレングリコールモノメチルエーテル等が好ましい。溶剤は、洗浄剤中に、０．１〜３０質量％、特に０．５〜１０質量％含有されることが好ましい。
【００３０】
前記除菌剤としては、例えば過酸化水素、次亜塩素酸、次亜塩素酸ナトリウム、第四級アンモニウム塩、安息香酸ナトリウム、パラオキシ安息香酸ナトリウム、ポリリジンのような天然除菌剤等が挙げられる。特に第四級アンモニウム塩、ポリリジン等の天然除菌剤が配合安定性及び除菌性能の点から好ましく用いられる。除菌剤は、洗浄剤中に、０．００５〜２質量％、特に０．０１〜１質量％含有されることが好ましい。
【００３１】
前記アルカリ剤としては、例えば水酸化ナトリウム等の水酸化物、炭酸ナトリウム等の炭酸塩、硫酸水素ナトリウム等のアルカリ性の硫酸塩、第一リン酸ナトリウム等のリン酸塩、酢酸ナトリウム、コハク酸ナトリウム等の有機アルカリ金属塩、アンモニア、モノ、ジ又はトリエタノールアミン等のアルカノールアミン、２−アミノ−２−メチル−１−プロパノール等のβ−アミノアルカノール並びにモルホリン等が挙げられる。特に感触とｐＨの緩衝性の点でモノ、ジ又はトリエタノールアミン等のアルカノールアミン、２−アミノ−２−メチル−１−プロパノール等のβ−アミノアルカノール並びにモルホリンが好ましい。アルカリ剤は、洗浄剤中に、０．０１〜１質量％、特に０．０５〜０．５質量％含有されることが、洗浄性及び感触の面で好ましい。
【００３２】
本発明の洗浄剤は、先に述べたとおり硬質表面を清浄にするために用いられるものである。硬質表面の例としては、フローリング、天井、住居内外の壁、浴室内の壁／タイル／床／ドア／浴槽／洗面器等の浴室用備品、台所の壁／床／流し周り／レンジ周り／換気扇、食器棚、箪笥、テーブル、机、椅子、本棚、鏡等の家具、テレビ、パソコン、ステレオ、エアコン、洗濯機、乾燥機、照明器具等の電化製品、住居の窓、ドア、家具の戸、自動車のウィンドウ等に使用されているガラス、網戸、トイレの床、壁、ドア、便器、便座、自動車、自転車、オートバイ等の塗装表面、プラスティック製表面などが挙げられる。
【００３３】
本発明の洗浄剤は、例えばボトル等の容器に充填され、清浄にしたい対象面に直接振りかけて使用される。洗浄剤が振りかけられた対象面は、雑巾、ティッシュペーパー、キッチンペーパー、トイレットペーパー等による清拭操作が行われる。また本発明の洗浄剤は、これを吸液性の基材シートに含浸させてウエットシートとすることで用いられる。得られたウエットシートによって対象面を拭くことで対象面が清浄となる。この場合、ウエットシートを直接手で持って清拭操作を行ってもよく、あるいはウエットシートを清掃道具に取り付けて、該清掃道具を操作することで清拭を行ってもよい、そのような清掃道具としては、平坦な取り付け面を有するヘッド部と、棒状の柄部と、該ヘッド部及び該柄部とを連結する連結部を備えたものが挙げられる。
【００３４】
本発明の洗浄剤は、前述のように水中油型の乳化液が好ましいが、ウエットシートに含浸させた状態において、香料の分散状態が維持されていれば、水中油型の乳化液となっていなくてもよい。
【００３５】
前記のいずれの清拭態様であっても、清拭後の硬質表面を水等で洗い流す操作は行わない。したがって清拭後は、硬質表面に付着した洗浄剤が自然乾燥し、不揮発成分が硬質表面に残留する。
【００３６】
本発明の洗浄剤を含浸させるために用いられる基材シートとしては、各種の不織布、織布、編み物地、紙若しくはスポンジ等の柔軟性多孔質体、又はこれらの複合材若しくはこれらとフィルム等との複合材などが挙げられる。そのような基材シートの一例としては、本出願人の先の出願に係る特開２００７−１５４３５９号公報に記載の嵩高シートが挙げられる。この嵩高シートは、繊維ウエブを水流交絡させて形成された繊維集合体を具備している。この繊維集合体は、繊維密度が大きくかつ厚みの小さい第１区域と、第１区域よりも繊維密度が小さくかつ第１区域よりも厚みの大きい第２区域とを有しているものである。第２区域は、閉じた形状の第１区域によって取り囲まれている。そして第２区域が複数の凸部及び凹部を有している。繊維集合体内にはスクリム材料が配置されていてもよい。スクリム材料は、繊維集合体を構成する繊維と交絡していることが好ましい。
【００３７】
基材シートに含浸される洗浄剤の割合（以下、この割合を「含浸率」と言う。）は、基材シートの質量に対して、下限値が１００質量％以上であることが好ましく、２００質量％以上であることが更に好ましい。含浸率の上限値は、１０００質量％以下であることが好ましく、８００質量％以下であることが更に好ましい。含浸率をこの範囲に調整することで、基材シートに含浸された前記洗浄剤を効率よく硬質表面に放出することができる。また、拭き操作の初期に大量の前記洗浄剤が一度に放出されることを防止しつつ、多量に含浸された該洗浄剤によって広い面積の拭き操作を行うことができる。含浸率の調整は、例えば乾燥した基材シートに所定量の洗浄剤を噴霧すること等によって達成される。
【００３８】
前述した本発明の実施形態に関し、更に以下の付記（洗浄剤、ウエットシート）を開示する。
【００３９】
＜１＞硬質表面の洗浄に用いられる洗浄剤において、前記洗浄剤は、界面活性剤、増粘剤として乳化作用を有する水溶性のアニオン性ポリマー及び香料を含有する乳化液からなり、前記香料は前記乳化液中に０．１質量％以上２質量％以下含有され、前記洗浄剤は、硬質表面に施された該洗浄剤によって該硬質表面を洗浄した後、該硬質表面を洗い流さず、該洗浄剤が該硬質表面に残留するように用いられるものである洗浄剤。
【００４０】
＜２＞前記アニオン性ポリマーは、繰り返し単位としてアクリル酸若しくはメタクリル酸又はそれらの塩若しくはそれらのアルキルエステルを含むものである請前記＜１＞に記載の洗浄剤。
＜３＞前記アニオン性ポリマーは、構成単量体としてアクリル酸又はその塩、及びメタクリル酸アルキルエステルのみを含み、その上でアクリル酸又はその塩１００質量部に対して、０．０１質量部以上の、エチレン性不飽和基を少なくとも２個有する化合物を架橋剤として使用して得られる架橋型アクリル酸／メタクリル酸アルキルエステルコポリマーである前記＜２＞に記載の洗浄剤。
＜４＞前記アニオン性ポリマーは、該アニオン性ポリマーを０．２質量％含有し水酸化ナトリウムでｐＨ７．０に調整した水溶液の２０℃における粘度が、好ましくは５００ｍＰａ・ｓ以上、更に好ましくは１０００ｍＰａ・ｓ以上、一層好ましくは１５００ｍＰａ・ｓ以上であり、好ましくは５０，０００ｍＰａ・ｓ以下、更に好ましくは４０，０００ｍＰａ・ｓ以下である前記＜１＞ないし＜３＞のいずれか１に記載の洗浄剤。
【００４１】
＜５＞前記洗浄剤は、水中油型の乳化液からなる前記＜１＞ないし＜４＞のいずれか１に記載の洗浄剤。
＜６＞２５℃における粘度が好ましくは２０ｍＰａ・ｓ以上、更に好ましくは５０ｍＰａ・ｓ以上、一層好ましくは１００ｍＰａ・ｓ以上であり、好ましくは３００，０００ｍＰａ・ｓ以下、更に好ましくは１００，０００ｍＰａ・ｓ以下、一層好ましくは１０，０００ｍＰａ・ｓ以下である前記＜１＞ないし＜５＞のいずれか１に記載の洗浄剤。
＜７＞前記香料を、好ましくは０．２質量％以上、更に好ましくは０．３質量％以上、そして好ましくは１．７質量％以下、更に好ましくは１．５質量％以下含有する前記＜１＞ないし＜６＞のいずれか１に記載の洗浄剤。
＜８＞前記界面活性剤を好ましくは０．０１質量％以上、更に好ましくは０．０３質量％以上、一層好ましくは０．０５質量％以上含有し、好ましくは５質量％以下、更に好ましくは３．０質量％以下、一層好ましくは１．０質量％以下含有し、前記水溶性のアニオン性ポリマーを好ましくは０．０１質量％以上、更に好ましくは０．０３質量％以上、一層好ましくは０．０５質量％以上含有し、好ましくは２質量％以下、更に好ましくは１．５質量％以下、一層好ましくは１．０質量％以下含有する前記＜１＞ないし＜７＞のいずれか一項に記載の洗浄剤。
＜９＞前記界面活性剤が、両性界面活性剤である前記＜１＞ないし＜８＞のいずれか１に記載の洗浄剤。
【００４２】
＜１０＞前記香料が、ゲラニオール、リナロール、シトロネロール、ネロール、ヒドロキシシトロネロール、テトラヒドロゲラニオール、ターピネオール、シス−３−ヘキセノール、フェニルエチルアルコール、ベンジルアルコール、リモネンのいずれかを含む前記＜１＞ないし＜９＞のいずれか１に記載の洗浄剤。
＜１１＞前記香料が、γ−ウンデカラクトン、１−（２，６，６−トリメチル−１，３−シクロヘキサジエン−１−イル）−２−ブテン−１−オン、７−アセチル−１，２，３，４，５，６，７，８−オクタヒドロ−１，１，６，７−テトラメチルナフタレン、セドリルメチルケトン、３，７−ジメチル−７−メトキシオクタン−２−オール、ドデカヒドロ−３ａ，６，６，９ａ−テトラメチルナフト［２，１−ｂ］フランのいずれかを含む前記＜１＞ないし＜１０＞のいずれか１に記載の洗浄剤。
＜１２＞前記界面活性剤として、両性界面活性剤を用いる前記＜１＞ないし＜１１＞のいずれか１に記載の洗浄剤。
＜１３＞前記界面活性剤として、炭素数８〜２４のアルキル基を有するアルキルジメチルアミンオキサイドを用いる前記＜１２＞に記載の洗浄剤。
＜１４＞２５℃におけるｐＨが、好ましくは７．０以上、更に好ましくは７．５以上であり、好ましくは１０．０以下、更に好ましくは９．５以下である前記＜１＞ないし＜１３＞のいずれか１に記載の洗浄剤。
【００４３】
＜１５＞前記＜１＞ないし＜１４＞のいずれか一項に記載の洗浄剤が基材シートに含浸されてなる硬質表面洗浄用ウエットシート。
＜１６＞基材シートに含浸される洗浄剤の割合が、基材シートの質量に対して、好ましくは１００質量％以上、更に好ましは２００質量％以上であり、好ましくは１０００質量％以下、更に好ましは８００質量％以下である前記＜１５＞に記載の硬質表面洗浄用ウエットシート。
【実施例】
【００４４】
以下、実施例により本発明を更に詳細に説明する。しかしながら本発明の範囲は、かかる実施例に制限されない。特に断らない限り、「％」は「質量％」を意味する。
【００４５】
〔実施例１〕
以下の表１に示す成分を混合して水中油型の乳化液からなる洗浄剤を調製した。この洗浄剤を基材シートに含浸させて硬質表面清掃用ウエットシートを得た。同表に示すアクリル酸・メタクリル酸アルキル重合体は、その水溶液の粘度（０．２％水溶液、２０℃、ｐＨ７．０）が２９７４４ｍＰａ・ｓであった。洗浄剤の含浸率は、基材シートの質量に対して３５０％とした。基材シートは以下の方法で製造した。
【００４６】
〔基材シートの製造〕
特開２００７−１５４３５９号公報の実施例１に記載の方法で基材シートを製造した。すなわち、特開２００７−１５４３５９号公報の図４に示す製造装置を用いて、同公報の図１に示す坪量３０ｇ／ｍ2の嵩高シートを製造した。用いた原料はポリエチレンテレフタレート繊維（繊維長４４ｍｍ）６０％、アクリル繊維（繊維長５１ｍｍ）２０％、及びレーヨン繊維（繊維長２５ｍｍ）２０％である。得られた基材シートは、繊維密度が大きくかつ厚みの小さい第１区域と、第１区域よりも繊維密度が小さくかつ第１区域よりも厚みの大きい第２区域とを有していた。第１区域及び第２区域の形状は同公報の図１に示すとおりであり、第１区域の面積率は４４％であり、第２区域の面積率は５６％であった。
【００４７】
〔実施例２及び３並びに比較例１〕
実施例１において香料の配合割合を表１に示す値とする以外は実施例１と同様にして洗浄剤を調製した。得られた洗浄剤を、実施例１と同様の基材シートに含浸させてウエットシートを得た。
【００４８】
〔比較例２〕
実施例２において、増粘剤を配合しない以外は実施例２と同様にして洗浄剤を調製した。得られた洗浄剤を、実施例１と同様の基材シートに含浸させてウエットシートを得た。
【００４９】
〔評価〕
実施例及び比較例で得られた洗浄剤について、その粘度を測定した。測定は、２５℃で行った。測定に用いた粘度計は、ブルックフィールド型粘度計であり、使用ローターはＮｏ．２、回転数は６０ｒｐｍとした。
また、実施例及び比較例で得られたウエットシートについて、これを用いて清掃対象面を清拭した後の該清掃対象面の香りの強さ、ウエットシートからの香料の放出のされやすさ、皮脂汚れの洗浄性、髪の毛の捕集率、及び清掃後の床の感触を以下の方法で評価した。それらの結果を以下の表１に示す。
【００５０】
〔対象面の香りの強さ〕
清掃対象面を清拭した後の該清掃対象面の香りの強さを経時的に官能評価した。具体的には、ウエットシートを、花王（株）製の清掃道具であるクイックルワイパー（登録商標）のヘッド部に取り付け、２０℃、６５％ＲＨの部屋において、３０ｃｍ×３０ｃｍ四方のフローリング材（Ｐａｎａｓｏｎｉｃ電工製  ウッディＡ）上を３往復清拭した。清拭後にフローリングは水等で洗い流さなかった。清拭直後、１０分後、２０分後、３０分後、６０分後において、フローリングから生じる香りの強さを４名のパネラーに評価させた。パネラーとフローリング材の距離は３０ｃｍとした。評価後、次の評価までの間は、パネラーは部屋の外に出ていた。４名のパネラーの評価の平均をもって、評価結果とした。評価の平均は下記の数値基準から求めた。
６：強く匂う
５：はっきりと匂う
４：匂いが楽にわかる
３：ほのかに匂う
２：ごくかすかに匂う
１：匂いを感じない。
【００５１】
〔ウエットシートからの香料の放出のされやすさ〕
実施例２で用いた洗浄剤について、分光光度計を用いて吸光特性を測定した。その結果、３２０ｎｍ及び２９０ｎｍの波長で吸光度のピークを有することが確認された。
次に、実施例２と比較例２で得たウエットシートについて、２４時間密閉容器内に保管した後、マングルを用いて洗浄剤を基材シートから搾り出し、分光光度計を用いて３２０ｎｍ及び２９０ｎｍの吸光度をそれぞれ測定した。この値を「洗浄剤吸光度」と言う。
次に、同様にして香料を配合しない以外は表１に示す成分と同じ成分を混合してなる洗浄剤を調製し、基材シートに３５０％含浸させた後搾り出した液の３２０ｎｍ及び２９０ｎｍの吸光度を測定した。この値を「対照吸光度」と言う。
洗浄剤吸光度から対照吸光度を差し引いた値（この値を「放出洗浄剤吸光度」と言う。）を求め、この値をウエットシートからの香料の放出のされやすさの尺度とする。放出洗浄剤吸光度は、その数値が高いほど香料が多量に放出されたことを意味する。
【００５２】
〔皮脂汚れの洗浄性〕
３０ｃｍ×３０ｃｍのフローリング（Ｐａｎａｓｏｎｉｃ電工製  ウッディＡ）上を裸足で歩き、２０℃，６５％環境下で１２時間放置する。ウエットシートを、花王（株）製の清掃道具であるクイックルワイパー（登録商標）のヘッド部に取り付け、２０℃、６５％ＲＨの部屋において、２往復清拭した。清拭後にフローリングは水等で洗い流さなかった。乾燥後後ニンヒドリンスプレー（和光純薬製）を塗布し、乾燥後の発色度合いを観察し、以下の基準で評価した。
３：発色しない
２：一部発色する
１：足跡が明らかに分かる
【００５３】
〔清掃後の床の感触〕
クイックルワイパー〔花王（株）製〕に、凹凸形状が外方を向くようにウエットシートを装着した。２０℃、６５％ＲＨの環境下で、９０ｃｍ×９０ｃｍのフローリング（Ｐａｎａｓｏｎｉｃ電工製  ウッディＡ）上にシートを乗せて一定のストローク（６０ｃｍ）で４往復清掃した。床が乾いた後、パネラーに床を手で触らせて評価を行った。以下の基準にてパネラー４人で評価を行い、平均値を求めた。
３：べたつきやぬるつきを感じない
２：べたつきやぬるつきをやや感じる
１：非常にべたつく、又は非常にぬるつく
【００５４】
【表１】
2013256567.tif 000002
【００５５】
表１に示す結果から明らかなとおり、各実施例で得られたウエットシートを用いてフローリングを清拭すると、該フローリングから生じる香りが長時間にわたって知覚されることが判る。これに対して比較例１で得られたウエットシートを用いてフローリングを清拭すると、清拭後の初期の時期から香りを知覚できないことが判る。また、比較例２で得られたウエットシートを用いてフローリングを清拭すると、初期は香るものの、残香性が劣ることが判る。実施例２と比較例２とは香料を同じ比率で配合しているが、実施例２は比較例２に比べて、ウエットシートからの香料の放出性が良好であることが判る。また、実施例２は比較例２に比べて、清拭後の初期の時期から長時間にわたって香りが強く知覚されることが判る。実施例３は、清拭後の初期の時期は香りの知覚はそれほど高くないものの、長時間に亘わたって残香することが判る。
また、実施例及び比較例は、皮脂汚れの洗浄性、清掃後の床の感触についていずれも問題がなく、ウエットシートに含浸させ硬質表面洗浄用ウエットシートとして用いた場合に適していることが判る。